(57)【特許請求の範囲】
【請求項１】
水槽付き天板を包装する包装装置において、
リユース可能な材料で形成された平面状に展開可能な可撓性シートと、
前記天板を包装すべき立体的な形状を形成するために前記可撓性シートを局所的に仮留めするための仮留め部材と、
前記可撓性シートを前記立体的な形状に保持するための補強部材とを備え、
前記補強部材は、前記可撓性シートの底面部に対応する底面部と第１側面部に対応する第１側面部と第２側面部に対応する第２側面部とを有し、前記可撓性シートと一体的に形成され、前記天板の短辺方向に沿った切れ目または折り目が設けられて前記天板の長辺方向に折り畳み可能に構成されていることを特徴とする包装装置。
【請求項２】
前記立体的な形状に保持された前記可撓性シートを包囲して締め付けるための帯状部材と、
前記可撓性シートの底面部以外の部位に設けられて、所定の書面を入れるための実質的に透明なポケットとをさらに備え、
前記可撓性シートの上面部は、透明または半透明に形成されていることを特徴とする請求項１に記載の包装装置。
【請求項３】
前記可撓性シートは、リサイクル可能な材料で形成されていることを特徴とする請求項１または２に記載の包装装置。
【発明の詳細な説明】
【０００１】
【発明の属する技術分野】
本発明は、包装装置に関し、特にシステムキッチンのシンク付き天板の包装に関するものである。
【０００２】
【従来の技術】
従来、たとえばシステムキッチンのシンク付き天板を現場等へ搬送する場合、発泡スチロールの緩衝ブロックを天板の要所にあてがい、段ボール製の外装材や粘着テープなどを用いて包装している。
【０００３】
【発明が解決しようとする課題】
上述のように、従来技術では、段ボール製の外装材や粘着テープなどを用いて天板を包装している。このため、現場で開梱した後、外装材や粘着テープが廃棄され、再度使用（リユース）されることはない。また、従来技術では、作業者が両手を用いて外装材や粘着テープなどを扱う必要があり、梱包作業が容易ではない。
【０００４】
本発明は、前述の課題に鑑みてなされたものであり、多数回に亘ってリユースすることができ、且つ梱包作業を容易に行うことのできる包装装置を提供することを目的とする。
【０００５】
【課題を解決するための手段】
前記課題を解決するために、本発明では、水槽付き天板を包装する包装装置において、
リユース可能な材料で形成された平面状に展開可能な可撓性シートと、
前記天板を包装すべき立体的な形状を形成するために前記可撓性シートを局所的に仮留めするための仮留め部材と、
前記可撓性シートを前記立体的な形状に保持するための補強部材とを備え、
前記補強部材は、前記可撓性シートの底面部に対応する底面部と第１側面部に対応する第１側面部と第２側面部に対応する第２側面部とを有し、前記可撓性シートと一体的に形成され、前記天板の短辺方向に沿った切れ目または折り目が設けられて前記天板の長辺方向に折り畳み可能に構成されていることを特徴とする包装装置を提供する。
【０００６】
本発明の好ましい態様によれば、前記立体的な形状に保持された前記可撓性シートを包囲して締め付けるための帯状部材と、前記可撓性シートの底面部以外の部位に設けられて、所定の書面を入れるための実質的に透明なポケットとをさらに備え、前記可撓性シートの上面部は、透明または半透明に形成されている。さらに、前記可撓性シートは、リサイクル可能な材料で形成されていることが好ましい。
【０００７】
【発明の実施の形態】
本発明では、たとえば樹脂シートのようにリユース可能な材料で形成された平面状に展開可能な可撓性シートを、たとえばマジックテープのような仮留め部材の作用により局所的に仮留めすることにより、水槽付き天板を包装すべき立体的な形状を形成する。この立体的な形状は、所定の補強部材により保持されるように構成されている。したがって、本発明では、多数回に亘ってリユースすることができ、且つ梱包作業を容易に行うことができる。
【０００８】
また、本発明では、立体的な形状に保持された可撓性シートを帯状部材で包囲して締め付ける構成により、堅牢な梱包が可能になるとともに、帯状部材を把手として機能させることにより梱包物の取り扱いが容易になる。さらに、本発明では、包装装置を天板の長手方向に折り畳むことができるように補強部材を形成することにより、不使用時には包装装置を小さく折り畳むことができる。
【０００９】
また、本発明では、たとえばＰＥ（ポリエチレン）のようなリサイクル可能な樹脂材料で可撓性シートを形成することにより、いわゆる自然にやさしいリサイクル可能な包装装置を実現することができる。さらに、可撓性シートの一部を透明または半透明に形成することにより、梱包後にも中身を目視で確認することができる。
【００１０】
本発明の実施形態を、添付図面に基づいて説明する。
図１は、本発明の実施形態にかかる包装装置の平面状に展開された状態を示す図である。本実施形態では、シンク付き天板の包装に本発明を適用している。
【００１１】
図１を参照すると、本実施形態の包装装置は、たとえばＰＥ（ポリエチレン）で形成された平面状に展開可能な可撓性シート１を備えている。可撓性シート１は、底面部１ａと、第１端面部１ｂと、第２端面部１ｃと、第１側面部１ｄと、第２側面部１ｅと、上面部１ｆとから構成されている。なお、上面部１ｆは、透明または半透明に形成されている。
【００１２】
そして、第１側面部１ｄおよび第２側面部１ｅの両端には、マジックテープの一方の面を構成するテープ面２ａ〜２ｄ（図中斜線部で示す）が形成されている。また、第１端面部１ｂおよび第２端面部１ｃの両端には、マジックテープの他方の面を構成するテープ面３ａ〜３ｄ（図中斜線部で示す）が形成されている。後述するように、包装に際してテープ面２ａ〜２ｄとテープ面３ａ〜３ｄとがそれぞれ当接する。
【００１３】
また、本実施形態の包装装置は、包装に際して可撓性シート１が立体的な形状に保持されたときに包囲して締め付けるための帯状部材として、５つのベルト部材４ａ〜４ｅを備えている。ここで、第１ベルト部材４ａは底面部１ａの長手方向に沿って締め付けるように構成され、第２ベルト部材４ｂ〜第５ベルト部材４ｅは底面部１ａの長手方向に沿って締め付けるように構成されている。
【００１４】
図２は、シンク付き天板を包装装置の底面部の上に載置する状態を示す斜視図である。また、図３は、シンク付き天板にあてがわれる端部用の緩衝ブロックの構成を概略的に示す斜視図である。さらに、図４は、シンク付き天板にあてがわれる中間部用の緩衝ブロックの構成を概略的に示す斜視図である。図２を参照すると、包装に先立って、シンク付き天板１１の要所には、たとえば発泡スチロールで形成された様々な緩衝ブロックがあてがわれる。
【００１５】
具体的には、シンク付き天板１１の両端には、図３に示す構成を有する端部用の緩衝ブロック１２ａおよび１２ｂがあてがわれる。また、シンク付き天板１１の中間には、図４に示す構成を有する中間部用の緩衝ブロック１２ｃおよび１２ｄがあてがわれる。また、図２に示すように、本実施形態の包装装置は、可撓性シート１を立体的な形状に保持するための補強部材（図１では不図示）５を備えている。
【００１６】
補強部材５は、可撓性シート１の底面部１ａに対応する底面部５ａと、第１側面部１ｄに対応する第１側面部５ｄと、第２側面部１ｅに対応する第２側面部５ｅとから構成されている。なお、補強部材５は、図２に示すように可撓性シート１と別体に形成されていてもよいし、可撓性シート１と一体的に形成されていてもよい。補強部材５には、シンク付き天板１１の短辺方向に沿った切れ目（または折り目）５ｇおよび５ｈが設けられ、シンク付き天板１１の長手方向に折り畳み可能に構成されている。
【００１７】
図５〜図８は、本実施形態における包装操作を説明する図である。図５〜図８を参照すると、本実施形態では、補強部材５の第１側面部５ｄおよび第２側面部５ｅを立ち上げて、緩衝ブロック１２ａ〜１２ｄのあてがわれたシンク付き天板１１を部分的に包囲する（図５および図６を参照）。次いで、可撓性シート１の第１端面部１ｂ、第２端面部１ｃ、第１側面部１ｄおよび第２側面部１ｅを立ち上げて、補強部材５によって部分的に包囲されたシンク付き天板１１をさらに部分的に包囲する。
【００１８】
このとき、第１側面部１ｄおよび第２側面部１ｅの両端に形成されたテープ面２ａ〜２ｄと、第１端面部１ｂおよび第２端面部１ｃの両端に形成されたテープ面３ａ〜３ｄとをそれぞれ当接させることにより、可撓性シート１が局所的に仮留めされ、シンク付き天板１１を包装すべき立体的な形状が形成される（図６および図７を参照）。
【００１９】
次いで、第１ベルト部材４ａにより、シンク付き天板１１をその長手方向に沿って締め付ける（図７を参照）。さらに、第２ベルト部材４ｂ〜第５ベルト部材４ｅにより、シンク付き天板１１をその短手方向に沿って順次締め付ける（図８を参照）。
【００２０】
以上のように、本実施形態では、ＰＥシートのようにリユース可能な材料で可撓性シート１が形成され、マジックテープの作用により可撓性シート１を局所的に仮留めすることにより、シンク付き天板１１を包装すべき立体的な形状を形成し、その立体的な形状を補強部材５の作用により保持している。したがって、本実施形態では、多数回に亘ってリユースすることができ、たとえば片手でマジックテープを順次機能させるだけで、梱包作業を容易に行うことができる。さらに、補強部材５の作用により、複数の梱包物を縦積みすることもできる。
【００２１】
また、本実施形態では、立体的な形状に保持された可撓性シート１を複数のベルト部材４ａ〜４ｅで包囲して締め付けているので、堅牢な梱包が可能になるとともに、ベルト部材４ａ〜４ｅを把手として機能させることにより梱包物の取り扱いが容易になる。さらに、本実施形態では、包装装置を天板１１の長手方向に折り畳むことができるように補強部材５が形成されているので、不使用時には包装装置を小さく折り畳むことができる。
【００２２】
また、本実施形態では、ＰＥシートのようなリサイクル可能な樹脂材料で可撓性シート１が形成されているので、いわゆる自然にやさしいリサイクル可能な包装装置を実現することができる。さらに、可撓性シート１の上面部１ｆが透明または半透明に形成されているので、梱包後にも中身を目視で確認することができる。また、図８の状態において底面部１ａ以外の適当な外側面に、伝票や指示書などを入れるための透明なポケットを設けることが好ましい。
【００２３】
なお、上述の実施形態では、可撓性シート１を局所的に仮留めするための仮留め部材としてマジックテープを用いているが、これに限定されることなく、たとえばボタン留めのような他の適当な仮留め手段を用いることができる。
【００２４】
また、上述の実施形態では、シンク付き天板の包装に本発明を適用しているが、これに限定されることなく、たとえば洗面化粧台の天板を含む一般的な水槽付き天板の包装に本発明を適用することができる。
【００２５】
【発明の効果】
以上説明したように、本発明では、リユース可能な材料で形成された平面状に展開可能な可撓性シートを、マジックテープのような仮留め部材の作用により局所的に仮留めすることにより、水槽付き天板を包装すべき立体的な形状を形成し、この立体的な形状を所定の補強部材により保持するので、多数回に亘ってリユースすることができ、且つ梱包作業を容易に行うことができる。
【００２６】
また、本発明では、立体的な形状に保持された可撓性シートを帯状部材で包囲して締め付ける構成により、堅牢な梱包が可能になるとともに、帯状部材を把手として機能させることにより梱包物の取り扱いが容易になる。さらに、本発明では、包装装置を天板の長手方向に折り畳むことができるように補強部材を形成することにより、不使用時には包装装置を小さく折り畳むことができる。
【００２７】
また、本発明では、たとえばＰＥ（ポリエチレン）のようなリサイクル可能な樹脂材料で可撓性シートを形成することにより、いわゆる自然にやさしいリサイクル可能な包装装置を実現することができる。さらに、可撓性シートの一部を透明または半透明に形成することにより、梱包後にも中身を目視で確認することができる。
【図面の簡単な説明】
【図１】本発明の実施形態にかかる包装装置の平面状に展開された状態を示す図である。
【図２】シンク付き天板を包装装置の底面部の上に載置する状態を示す斜視図である。
【図３】シンク付き天板にあてがわれる端部用の緩衝ブロックの構成を概略的に示す斜視図である。
【図４】シンク付き天板にあてがわれる中間部用の緩衝ブロックの構成を概略的に示す斜視図である。
【図５】本実施形態における包装操作を説明する図である。
【図６】本実施形態における包装操作を説明する図である。
【図７】本実施形態における包装操作を説明する図である。
【図８】本実施形態における包装操作を説明する図である。
【符号の説明】
１  可撓性シート（ＰＥシート）
２  マジックテープの一方のテープ面
３  マジックテープの他方のテープ面
４  ベルト部材
５  補強部材
１１  シンク付き天板
１２  緩衝ブロック
【図１】
0003811370.tif 000002
【図２】
0003811370.tif 000003
【図３】
0003811370.tif 000004
【図４】
0003811370.tif 000005
【図５】
0003811370.tif 000006
【図６】
0003811370.tif 000007
【図７】
0003811370.tif 000008
【図８】
0003811370.tif 000009